(57)【要約】【課題】  元映像出力とエンコード結果映像出力との同時確認を可能とする。【解決手段】  映像記録装置Ａは、制御部１と、記録再生部３と、を有している。制御部１の構成は、上記従来例の場合と同様であり、ユーザＩ／Ｆ部１ａと、ＣＰＵ１ｂと、を有している。記録再生部３は、ＲＦ入力を受けてチューナ３ａが選局したコンテンツを、第１デコーダ３ｅによりデコードし、第１ビデオ出力３ｂを介して、第１ディスプレイに出力される。この際、ＯＳＤ３ｃからの出力が第１ビデオ出力に重畳されるようにしても良い。第１デコーダ３ｅからのデータは、エンコーダ３ｆを第２デコーダ３ｇに出力し、第２デコーダ３ｇでデコードされたデータが第２ビデオ出力３ｄを介して第２のディスプレイに出力される。記録媒体３ｈは、第１デコーダ３ｅとの間でデータのやり取りを行うとともに、エンコーダ３ｆからのエンコードされたデータを記録媒体３ｈに出力する。【選択図】  図１
2006203594.tif 000002
【特許請求の範囲】
【請求項１】
元映像データをデコードする第１のデコーダと、
該第２のデコーダの出力をエンコードするエンコーダと、
該エンコーダの出力をデコードする第２のデコーダと、
前記第１のデコーダと前記第２のデコーダとの出力のそれぞれの第１及び第２の出力端子と
を有する情報処理装置。
【請求項２】
さらに、前記第１の出力端子と前記第２の出力端子とのそれぞれに出力される信号に基づいて表示を行う第１の表示部と第２の表示部とを有することを特徴とする請求項１に記載の情報処理装置。
【請求項３】
前記第１の表示部と前記第２の表示部とは、１つの表示画面上の異なる表示領域であることを特徴とする請求項２に記載の情報処理装置。
【請求項４】
さらに、前記第１のデコーダ及び前記第２のデコーダとのそれぞれと信号をやり取りする記録媒体を有することを特徴とする請求項１から３までのいずれか１項に記載の情報処理装置。
【請求項５】
さらに、前記第１のデコーダ及び前記第２のデコーダとのそれぞれと信号をやり取りする第１の記録媒体及び第２の記録媒体を有することを特徴とする請求項１から３までのいずれか１項に記載の情報処理装置。
【請求項６】
さらに、前記第１のデコーダに対応する第１の入力端子と、前記第２のデコーダに対応する第２の入力端子と、を有することを特徴とする請求項１から５までのいずれか１項に記載の情報処理装置。
【請求項７】
前記第１の入力端子と前記第２の入力端子とのいずれか一方にはアナログ信号が入力され、
アナログ信号が入力される側のエンコーダの全段にアナログ信号をデジタル信号に変換する変換器が備えられていることを特徴とする請求項１に記載の情報処理装置。
【請求項８】
さらに、前記エンコーダによるエンコード時のパラメータと再生ポイントとの少なくとも一方を設定するユーザインタフェースを有することを特徴とする請求項１から７までのいずれか１項に記載の情報処理装置。
【請求項９】
前記第１及び第２の出力端子からの信号に基づくエンコード結果の確認とメモリへの記録とを平行して実行する制御を行うことを特徴とする請求項１から８までのいずれか１項に記載の情報処理装置。
【請求項１０】
請求項１から９までのいずれか１項に記載の情報処理装置を備えた映像記録／再生装置。
【請求項１１】
請求項１に記載の情報処理装置における情報処理方法であって、
エンコード元ソースを選択するステップと、
エンコード画質を確認し、必要に応じて元ソースとエンコード済み画質とを比較するステップと、
比較するステップに基づいてエンコード実行を行うか否かを決定するステップと
を有する情報処理方法。
【請求項１２】
請求項１１に記載のステップをコンピュータに実行させるためのプログラム。
【発明の詳細な説明】
【技術分野】
【０００１】
本発明は、情報処理装置に関し、特に、番組等のコンテンツであるデジタル映像記録／再生装置に関する。
【背景技術】
【０００２】
デジタル映像の再生や記録に関する技術の進歩に伴ってデジタル映像記録装置の機能が豊富になってきている（例えば、特許文献１参照）。特に、最近では、チューナやエンコーダ、デコーダを２セット持ち、２番組の同時録画や録画、再生しながらのＤＶＤやメモリカードへのダビング作業などができるデジタル映像記録装置が製品化されている。また、ＨＤ映像をＳＤ映像に変換して録画する機能を持つデジタル映像記録装置も製品化されている（シャープ DVDレコーダ DV-HRD200、松下 DVDレコーダ DMR-E330Hなど）。
【０００３】
図１７は、一般的なデジタル映像記録装置の構成例を示す機能ブロック図である。図１７に示すように、デジタル映像記録装置は、記録・再生を行う記録再生部３０３と、全体の制御を行う制御部３０１と、を有している。記録再生部３０３は、ＲＦ入力を受けて選局するチューナ３０３ａと、チューナ３０３ａにより選局された映像信号を受けてこれをデコードするデコーダ３０３ｄと、デコーダによりデコードされた信号を受けてビデオ出力信号として例えばディスプレイに出力するビデオ出力部３０３ｂと、デコーダ３０３ｄからの信号をエンコードするエンコーダ３０３ｅと、エンコーダ３０３ｅによりエンコードされた信号を記憶する記録媒体３０３ｆと、ビデオ出力３０３ｂに対してＯＳＤ出力を行うＯＳＤ３０３ｃと、を有している。記録媒体３０３ｆとデコーダ３０３ｄとの間では、信号のやり取りが行われる。実際のデジタル放送においては、チューナ３０３ａからデコーダ３０３ｄへ入力される映像信号として一つの周波数に複数の番組を多重したトランスポートストリーム（ＴＳ）を利用することが一般的である。
【０００４】
上記デジタル映像記録装置においては、ユーザのキー操作又はリモコン操作に応じて、ユーザインタフェース（Ｉ／Ｆ）３０１ａを介してＣＰＵ３０１ｂが、記録再生部３０３に操作に関する指示が伝えられる。この指示とＲＦ入力とに基づいて、例えば、チューナ３０３ａにより選局されたコンテンツ（番組）が、デコーダ３０３ｄによりデコードされ、ビデオ出力部３０３ｂによりビデオ信号としてディスプレイを行う。
【０００５】
図１８は、特許文献２に記載された映像記録装置の従来の構成例を示す図である。図１８に示す構成は、記録・再生を行う記録再生部４０３と、全体の制御を行う制御部４０１と、を有している。記録再生部４０３は、撮影データを受けてＭＰＥＧ２のエンコード処理を行うＭＰＥＧ２エンコーダ４０３ｅと、エンコードされたデータを記録する記録媒体４０３ｆと、記録媒体４０３ｆとの間でデータのやり取りを行うＭＰＥＧ２デコーダ４０３ａと、デコードされたデータをＭＰＥＧ４エンコードするＭＰＥＧ４エンコーダ４０３ｂと、エンコードされたデータを簡易的にデコードする簡易デコーダ４０３ｃと、簡易的にデコードされたデータをディスプレイにビデオ出力するビデオ出力部４０３ｄと、を有している。
【０００６】
上記の構成においては、映像データをＭＰＥＧ２エンコードし、ＭＰＥＧ２エンコードされたデータをＭＰＥＧ２デコードし、ＭＰＥＧ２デコードしたデータを、さらにＭＰＥＧ４エンコードし、簡易的にデコードしてディスプレイに映像を表示させる。すなわち、映像データを異なる２つのエンコード方式でエンコードする点、ＭＰＥＧ２エンコードしたデータと、ＭＰＥＧ２デコードしたデータと、ＭＰＥＧ４エンコードしたデータと、を記録媒体４０３ｆに記録する点、に特徴がある。
【０００７】
図１９は、他の形態による映像記録装置の従来の構成例を示す図である。図１９に示す構成は、記録・再生を行う記録再生部５０３と、全体の制御を行う制御部５０１と、を有している。記録再生部５０３は、撮影データを受けてＭＰＥＧ２のエンコード処理を行うＭＰＥＧ２エンコーダ５０３ｆと、エンコードされたデータを記録する第１記録媒体５０３ｇと、第１記録媒体５０３ｇとの間でデータのやり取りを行うＭＰＥＧ２デコーダ５０３ｃと、デコードされたデータをＭＰＥＧ４エンコードするＭＰＥＧ４エンコーダ５０３ｄと、エンコードされたデータを簡易的にデコードする簡易デコーダ５０３ａと、エンコードされたデータをデコードするＭＰＥＧ４デコーダ５０３ｅと、ＭＰＥＧ４エンコーダ５０３ｄからのデータを記録する第２記録媒体５０３ｈと、ＭＰＥＧ４デコーダ５０３ｅにおいてデコードされたデータをディスプレイにビデオ出力するビデオ出力部５０３ｂと、を有している。
【０００８】
上記構成においては、映像データをＭＰＥＧ２エンコードし、ＭＰＥＧ２エンコードされたデータを第１の記録媒体に記録するとともに、記録されたＭＰＥＧ２エンコードデータをＭＰＥＧ２デコードし、そのデータをＭＰＥＧ４エンコードした後にＭＰＥＧ４デコードしてディスプレイに表示する点に特徴がある。
【０００９】
図２０は、同じく特許文献２に関連する映像記録装置の従来の構成例を示す図である。図２０に示す構成は、記録・再生を行う記録再生部６０３と、全体の制御を行う制御部６０１と、を有している。記録再生部６０３は、撮影データを受けてＭＰＥＧ２のエンコード処理を行うＭＰＥＧ２エンコーダ６０３ｄと、エンコードされたデータを記録する記録媒体６０３ｅと、記録媒体６０３ｅとの間でデータのやり取りを行うＭＰＥＧ２デコーダ６０３ｂと、デコードされたデータをＭＰＥＧ４エンコードするＭＰＥＧ４エンコーダ６０３ｃと、エンコードされたデータを簡易的にデコードする簡易デコーダ６０３ａと、を有している。ＭＰＥＧ４デコーダ６０３ｃにおいてデコードされたデータは上方処理するパーソナルコンピュータ（以下、「ＰＣ」と称する。）６０５に出力され、ＰＣ６０５からのデータに基づいて、ビデオ出力部６０７からディスプレイに出力する。ＰＣ６０５からの出力は、制御部６０１にフィードバックされる。
【００１０】
上記構成においては、映像データをＭＰＥＧ２エンコードし、ＭＰＥＧ２エンコードされたデータを記録媒体に記録するとともに、記録されたＭＰＥＧ２エンコードデータをＭＰＥＧ２デコードし、そのデータをＭＰＥＧ４エンコードした後にＭＰＥＧ４デコードしてＰＣを介してディスプレイに表示する点に特徴がある。
【００１１】
【特許文献１】特開２００１−３６８４４号公報
【特許文献２】特開２００４−２６６６９０号公報
【発明の開示】
【発明が解決しようとする課題】
【００１２】
ところで、従来の技術では、元の映像からエンコード形式、解像度、ビットレートなどのフォーマットを変更して録画する場合に、実際にエンコードを完了した後でなければ、録画した結果を確認することができないという問題があった。また、エンコード後の確認結果が思わしくない時には、再度上記のパラメータを設定し直してエンコード処理を行う必要があり、その間のロスタイムが大きくなってしまうという問題がある。さらに、生放送（リアルタイム放送）の場合にはリカバリーさえ不可能になってしまうという問題がある。本発明は、上記ロスタイム等の影響を低減することを目的とする。
【課題を解決するための手段】
【００１３】
本発明は、第１のデコーダと第２のデコーダの２つの一般的なデコーダと１つのエンコーダとを用意し、第１のデコーダの出力を元映像として確認するとともに、エンコード後の映像を第２のデコーダの出力により確認することを特徴とする。この際、エンコード時のパラメータと再生ポイントをユーザが任意に変更できるユーザインタフェースを設けることもできる。また、エンコード結果の映像を確認しながら記録することも可能である。第１のデコーダの出力を元映像としエンコード後の映像を第２のデコーダの出力により確認する方式であるため、エンコード及びデコード形式（圧縮形式）は任意であり、限定されることがない。
【発明の効果】
【００１４】
本発明のデジタル映像記録装置によれば、以下の利点がある。
【００１５】
実際にフォーマットを変更して録画する前にエンコード後の画質を任意のポイントでリアルタイムに確認することが可能となる。また、エンコード後の確認結果が思わしくない時のロスタイムも低減できる。
【００１６】
事前に画質をある程度把握できるので生放送でのパラメータ設定失敗が軽減される。生放送で最初のパラメータ設定が失敗していても生で確認しながら途中でパラメータを変更することが可能なためダメージを軽減できる。
【発明を実施するための最良の形態】
【００１７】
以下に、本発明の実施の形態による映像記録装置について図面を参照しつつ説明を行う。図１は、本発明の第１の実施の形態によるデジタル映像記録装置の構成例を示す図である。図１に示すように、本実施の形態による映像記録装置Ａは、制御部１と、記録再生部３と、を有している。制御部１の構成は、上記従来例の場合と同様であり、ユーザＩ／Ｆ部１ａと、ＣＰＵ１ｂと、を有している。記録再生部３は、ＲＦ入力を受けてチューナ３ａが選局したコンテンツを、第１デコーダ３ｅによりデコードし、第１ビデオ出力３ｂを介して、第１ディスプレイに出力される。この際、ＯＳＤ３ｃからの出力が第１ビデオ出力に重畳されるようにしても良い。第１デコーダ３ｅからのデータは、エンコーダ３ｆを第２デコーダ３ｇに出力し、第２デコーダ３ｇでデコードされたデータが第２ビデオ出力３ｄを介して第２のディスプレイに出力される。記録媒体３ｈは、第１デコーダ３ｅとの間でデータのやり取りを行うとともに、エンコーダ３ｆからのエンコードされたデータを記録媒体３ｈに出力する。
【００１８】
上記構成によれば、第１デコーダ３ｅと第２デコーダ３ｇとのそれぞれによりデコードされたデータを出力する第１ビデオ出力３ｂと第２ビデオ出力３ｄと、を有しているため、例えば、２つのディスプレイに独立してデコードされた映像データを表示させることができる。すなわち、元映像データをデコーダする第１デコーダの出力と、元映像出力をエンコードするエンコーダからのデータをデコードする第２のデコーダの出力と、を、それぞれ、映像出力プレビュー時に上記２つの経路を並行して取ることにより元映像出力とエンコード結果映像出力との同時確認を可能とする。
【００１９】
実際の記録時は、エンコーダ３ｆからの出力データを記録装置３ｈに保存する。併せて、エンコード時のパラメータと再生ポイントとを、ユーザが任意に変更できるユーザインタフェースを設ける。この点については以下に説明する。
【００２０】
図５から図９までを参照しつつ、本実施の形態によるデジタル映像記録装置の表示例について説明する。番組を記録する際のフォーマットの設定としては、放送された番組をそのままの形で記録するＴＳモードと簡易的な画質選択が可能なＳＰ、ＬＰ、ＥＰ（高画質、標準、長時間）の各モードを例に取って説明する。デジタル映像記録装置の種別によっては更に詳細なパラメータの設定が可能なものもあるがユーザの利便性を考慮し、このような簡易的な設定を設けている製品が一般的である。また、エンコード形式としては、現在のデジタル放送で一般的なＭＰＥＧ２を例に取る。
【００２１】
図５は、本実施の形態によるデジタル映像記録装置の原理図である。図５には、図１に示す映像記録・再生部１５（図１では符号３で示される）の構成例を概略的に示している。各構成要素の符号に関しても、別途付与した。図５に示すように、本実施の形態による映像記録・再生部１５は、チューナ３３又は記録装置３５（ＳＷにより切り替えることができる）からの元映像データ入力を受けた第１デコーダ３７と、エンコーダ３９と、エンコーダ３９からの出力を再度デコードする第２デコーダ４１と、を有している。第１デコーダ３７からの出力は第１映像出力１７−１に表示され、第２デコーダ４１からの出力は第２映像出力１７−２に表示される。
【００２２】
元映像情報２１には、元映像データの情報が表示されており、図５においては、フォーマットとしてＭＰＥＧ２のＨＤ（高精細画像）で記録されていること、モードとしてはＴＳモードであること、エンコード設定３１に関しては、フォーマットがＭＰＥＧ２のＳＤ（標準画像）で、モードとしてはＳＰモードであることが表示されている。
【００２３】
符号２３で示す領域には、コンテンツ（番組）の一般的な情報が表示されており、符号２７で示す領域では、再生、録画、早送り、巻き戻しなどを行うためのインタフェースが提供される。このように、第１映像出力と第２映像出力とを別画面に同時にリアルタイム表示させることが可能であるため、実際にフォーマットを変更して録画する前にエンコード後の画質を任意のポイントでリアルタイムに確認することが可能となる。
【００２４】
また、エンコード後の確認結果が思わしくない時に再度トライする場合のロスタイムも短くなる。また、事前に画質をある程度把握できるため、生放送でのパラメータ設定の失敗が起こりにくくなる。生放送で最初のパラメータ設定が失敗していても、生で確認しながら途中でパラメータを変更することも可能なため失敗に基づくダメージを軽減できるという利点もある。
【００２５】
図６は、本実施の形態によるデジタル映像記録装置におけるエンコード元ソースの選択メニューを示す図である。図６に示すように、本実施の形態によるエンコード元ソース選択メニュー表示画面５１は、現在視聴中の番組表示５３と、録画番組リスト５５と、を有している。録画番組リスト５５には、例えば、録画日時欄５７と、チャネル欄６１と、番組名欄６３と、が表示されている。符号６５は、番組録画リストから選択された番組を表示する。選択は、カーソルなどにより選択箇所を上下させて変更することができる。この画面から、現在視聴中の番組５３又は選択された録画番組リストにより、エンコードする番組を選択して第１デコーダ３７によりデコードすることができる。
【００２６】
図７は、本実施の形態によるデジタル映像記録装置におけるエンコード画質事前確認画面の表示例を示す図である。図７に示すように、本実施の形態によるエンコード画質事前確認画面７１には、図６に示す画面で選択された録画日時とチャネルと番組名とが表示（７５）され、次の番組のエンコード画質を事前に確認しますか？というユーザへの確認メッセージとともに、する又はしないの選択を促す表示７７がなされる。これにより、エンコード画質の事前確認を行うか否かをまず決めさせることができる。
【００２７】
図８は、本実施の形態によるエンコード画質確認画面用ＯＳＤの再生・画質確認表示例を示す図である。図８に示すように、本実施の形態によるエンコード画質確認画面用ＯＳＤの再生・画質確認表示画面８１においては、元画像情報８３と、進捗バー８５と、再生／録画／巻き戻し・早送りキー８７と、実行キー８８と、設定変更キー８９と、戻るキー９０と、エンコード設定表示領域９７と、を有している。ここで、再生キーを選択すると、ディスプレイに再生画面が表示され、ＯＳＤ再生による画質を確認することができる。
【００２８】
図９は、図８におけるエンコード画質確認画面用ＯＳＤの再生・画質確認表示例を示す図である。図８に示すように、本実施の形態によるエンコード画質確認画面用ＯＳＤの再生ポイント変更画面例を示す図である。図９に示す画面で、進捗バー１０５を見ながら再生ポイントを変更する操作を行うことにより、再生ポイントを変更してエンコード画質を確認することができる。
【００２９】
図１０は、エンコード画質確認画面用ＯＳＤのエンコード設定画面における表示例１２１を示す図である。図１０に示すように、設定変更１３５を選択すると、エンコード設定表示が符号１４１で示すように表示される。このエンコード設定表示１４１は、フォーマットとして選択できる項目と、モードとして選択できる項目とが表示される。図１０においては、フォーマットとしてＭＰＥＧ２  ＳＤ１４１ａが、モードとしてＳＰ１４１ｂの表示が選択されている。これによりエンコード設定の変更を行うことができる。
【００３０】
図１１は、エンコード画質確認画面用ＯＳＤの実行指示画面における表示例１５１を示す図である。図１１に示すように、実行１５９を選択して実行させると、図１０において設定されたエンコード条件に基づく表示がディスプレイに表示される。このエンコード設定表示１５１を確認することで、エンコード設定の結果を確認することができる。
【００３１】
図１２は、本実施の形態によるエンコード実行確認メニューの表示例を示す図である。図１２に示すように、エンコード実行確認メニュー１７１においては、上記のエンコード設定変更も踏まえて、録画日時とチャネルと番組名と、エンコード設定とを再確認し、これでエンコードを実行するかどうかのユーザの選択を促す（する１７７、しない１８１）画面が表示される。これで良ければ実行（ｅｎｔｅｒ）、変更したい場合には戻る（ｒｅｔｕｒｎ）キーを操作する。
【００３２】
図１３は、エンコード設定メニュー表示画面の表示例１９１を示す図である。図１３に示すように、表示１９１は、エンコードに使用するモードを設定してくださいというメッセージ１９３に加えて、フォーマット選択領域１９５とモード選択領域１９７と、決定１９８、戻る１９９とを有している。この画面に基づいて、例えば、フォーマットとしてＭＰＥＧ２  ＳＤ（１９５ａ）が、モードとしてＳＰ（１９７ａ）が選択候補として挙げられている。この選択候補で良ければ決定１９８を操作し、再設定したい場合には戻る１９９を操作する。
【００３３】
次に、２画面を表示させる形式について説明する。図１４は、本発明の実施の形態によるデジタル映像記録装置の表示例を示す図である。図１４に示すように、２画面表示形式の表示画面２０１においては、元映像表示用画面２０３と、エンコード後映像表示用画面２０５と、が設けられている。その他の構成は、符号２０７から２１９までに示すように、上記実施の形態による表示と同様である。このように、元映像とエンコード後映像とを表示させることにより、エンコード結果を元映像と比較して評価することができ、より精度の高い評価を行うことができる。このような評価は、図５に示すように、第１及び第２のデコーダ３７、４１を備えていることにより可能になる。
【００３４】
実際の記録時には、エンコーダからの出力データをメモリ（図１の記録媒体３ｈ）に保存しておくことも可能である。
【００３５】
次に、本実施の形態による処理の流れの例について図１５及び図１６を参照しつつ説明を行う。図１５に示すように、処理を開始すると（スタート）、ステップＳ１０１において、図６に示す画面例１が表示され、番組リスト又はチューナからエンコード元ソースを選択する。次いで、ステップＳ１０２において、図７に示す画面例２が表示され、エンコード画質を事前確認するか否かを選択する。事前確認しない場合には（Ｎｏ）、ステップＳ１１０に進み、図１３に示す表示画面例８が表示され、メニューでのエンコード設定を行い、後述するステップＳ１０８に進む。
【００３６】
事前確認する場合には（Ｙｅｓ）、ステップＳ１０３に進み、図８に示す表示画面例３が表示され、自動的にデフォルト値又は最後に設定したエンコード設定に基づいてエンコード設定を行う。次いで、ステップＳ１０４に進み、図８及び図９に示す表示画面例３、４に基づいて、必要であれば進捗バー（プログレスバー）により再生ポイントを変更しながら再生し、元ソースとエンコードの画質を比較する。ステップＳ１０５において、エンコード画質が所望の画質であるか否かを判定し、所望の画質でなければ（Ｎｏ）、ステップＳ１０６に進み図１０に示す表示画面例５に基づいてエンコード設定を変更し、ステップＳ１０４に戻る。所望の画質であれば（Ｙｅｓ）、ステップＳ１０７に進み図１１に示す表示画面例６に基づいてエンコード実行指示を行い、ステップＳ１０８において図１２に示す表示画面例７に基づいてエンコード実行最終確認を行う。次いで、ステップＳ１０９においてエンコード処理を実行し、処理を終了する。
【００３７】
一方、２画面表示の場合について、図１５と対比させて要素のみを示すと、図１６に示すように、処理を開始し、ステップＳ１０１において、図５に示す表示において番組リスト、又はチューナからエンコード元ソースを選択する。その後、ステップＳ１０４において、図１４に示す表示画面例９において、再生して元ソースとエンコード後との画質を２つの画面を対比させて比較する。ステップＳ１０５において、エンコード画質が所望の画質になっているか否かを判断し、エンコード画質がＯＫでなければ（Ｎｏ）ステップＳ１０６に進み、表示画面例５においてエンコード設定を変更し、ステップＳ１０４に戻る。エンコード画質がＯＫであれば（ＹＥＳ）であれば、ステップＳ１０９に進みエンコード処理を実行し、処理を終了する。
【００３８】
以上のように、本実施の形態によるデジタル映像記録装置によれば、デコーダ１の出力を元映像として確認するとともに、エンコード後の映像をデコーダ２の出力として確認することができる。従って、実際に全ての映像のエンコードを行わなくても事前に任意のポイントでのエンコード後の画質をリアルタイムに確認することを可能とする。また、実際にフォーマットを変更して録画する前にエンコード後の画質を任意のポイントでリアルタイムに確認することが可能となる。また、エンコード後の確認結果が思わしくない時のロスタイムも削減される。事前に画質をある程度把握できるので生放送でのパラメータ設定失敗が軽減される。生放送で最初のパラメータ設定が失敗していても生で確認しながら途中でパラメータを変更することが可能なためダメージを軽減できる。
【００３９】
また、ユーザインタフェースから、エンコード時のパラメータと再生ポイントとをユーザが任意に変更できる。さらに、エンコード結果映像を確認しながら記録することの可能である。エンコード形式を任意に変更することができ、また、トランスコードにも対応することが可能である。
【００４０】
尚、デコーダを２つ持つため、１入力でリアルタイムに元映像とエンコード結果映像とを比較することができ、従来例のようなストレージを持たなくても良いという利点がある。エンコードデータは記録媒体などに保存しておくことが可能である。
【００４１】
次に、本発明の第２の実施の形態によるデジタル映像記録装置について図面を参照しつつ説明を行う。図２は、本発明の第２の実施の形態によるデジタル映像記録装置の一構成例であって２記憶媒体対応型の構成例を示す図である。図２に示すように、本実施の形態による２記憶媒体対応型のデジタル映像記録装置は、制御部１と、記録再生部３と、を有しおり、この点は、図１に示す記録再生装置と同様である。図２に示す装置と図１に示す装置との主な違いは、記録媒体として第１の記録媒体３ｈと第２の記録媒体３ｉとを有している点である。第１の記録媒体３ｈは第１のデコーダ３ｅとの間でデータをやり取りするとともに、エンコーダ３ｆから第１のデコーダ３ｅへのデータと同じデータを受ける。一方、第２の記録媒体３ｉは、第２のデコーダ３ｇとの間でデータをやり取りするとともに、エンコーダ３ｆから第２のデコーダ３ｇへのデータと同じデータを受ける。これにより、第１のディスプレイへの表示映像を第１の記録媒体３ｈに記録するとともに、第２のディスプレイへの表示映像を第２の記録媒体３ｉに記録することができる。
【００４２】
これにより、プレビュー時に上記２つの経路（ディスプレイ１への経路とディスプレイ２への経路）とを並行して取ることにより元映像出力とエンコード結果映像出力との同時確認を可能とするとともに、実際の記録時は、エンコーダ３ｆからの出力データを第１及び第２の記録媒体（装置）に保存することができるため、エンコード前の映像とエンコード後の映像との両方を記録媒体に記録する複雑な処理を一度に行うことができるという利点がある。
【００４３】
次に、本発明の第３の実施の形態によるデジタル映像記録装置であって、２記録媒体、２チューナ対応のデジタル映像記録装置について図面を参照しつつ説明を行う。図３は、本実施の形態によるデジタル映像記録装置の一構成例を示す図である。図３に示すように、本実施の形態による２記録媒体、２チューナ対応のデジタル映像記録装置は、図２に示す第２の実施の形態によるデジタル映像記録装置に加えて、ＲＦ入力２からの入力を受ける第２のチューナ３ａ’を有している点を特徴とする。第２のチューナ３ａ’は、第２のデコーダ３ｇに入力される。本実施の形態によるデジタル映像記録装置では、第１のチューナ３ａからの入力を受ける場合には、第１のデコーダ３ｅからの出力が元映像としてディスプレイ１に表示され、第２のチューナ３ａ’からの入力を受ける場合には、第２のデコーダ３ｇからの出力が元映像としてディスプレイ２に表示されるようになっている。本実施の形態によるデジタル映像記録装置によれば、２入力に対応してそれぞれの元映像とエンコード映像とを比較することができるという利点がある。
【００４４】
次に、本発明の第３の実施の形態によるデジタル映像記録装置の変形例による映像記録装置であって、２記録媒体、２チューナ対応のデジタル映像記録装置について図面を参照しつつ説明を行う。図４は、本実施の形態によるデジタル映像記録装置の一構成例を示す図である。図４に示すように、本実施の形態による映像記録装置は、ＲＦ入力を受けるチューナ３ａと、アナログＲＦ入力を受けて選局を行うアナログチューナ３ｋとを有している点を特徴とする。アナログチューナ３ｋからの出力信号は、ＮＴＳＣエンコーダ３ｌに出力され、ＮＴＳＣエンコーダ３ｌからの出力はＡＤコンバータ３ｊによりデジタル変換され、エンコーダ３ｆに出力される構成を有している。その後の構成と動作は、図３に示すものと同様である。本実施の形態によるデジタル映像記録装置によれば、２入力に対応して、かつ、その内の一方はデジタル映像、他方はアナログ映像である場合において、それぞれの元映像とエンコード映像とを比較することができるという利点がある。  
【００４５】
次に、本実施の形態によるデジタル映像記録装置の応用例について説明する。本実施の形態によるデジタル映像記録装置を、多画面（一般的には２画面）表示が可能な表示装置、例えば液晶テレビ受像器に適用すれば（外付け又は内蔵のいずれでも良い）、テレビの表示画面上で、映像出力（元画像）と、映像出力（エンコード結果画像）とを、リアルタイムに比較しながらエンコード設定を適正化し、適正化した設定値に基づいて実際の２番組の同時録画や録画、再生しながらのDVDやメモリカードなどの記録媒体へのダビング作業などを行うことができる。また、異なる画質、例えば、ＨＤ映像をＳＤ映像に変換して録画する機能を持つデジタル映像記録／再生装置として利用することができる。尚、デジタル映像記録／再生装置は、記録専用、再生専用、記録及び再生兼用のいずれも含む。
【産業上の利用可能性】
【００４６】
本発明は、デジタル映像記録／再生装置に適用可能である。
【図面の簡単な説明】
【００４７】
【図１】本発明の第１の実施の形態によるデジタル映像記録装置の構成例を示す図である。
【図２】本発明の第２の実施の形態によるデジタル映像記録装置の一構成例であって２記憶媒体対応型の構成例を示す図である。
【図３】本発明の第３の実施の形態によるデジタル映像記録装置であって、２記録媒体、２チューナ対応のデジタル映像記録装置の一構成例を示す図である。
【図４】本発明の第３の実施の形態によるデジタル映像記録装置の変形例による映像記録装置であって、２記録媒体、２チューナ対応のデジタル映像記録装置の一構成例を示す図である。
【図５】本実施の形態によるデジタル映像記録装置の原理図である。
【図６】本実施の形態によるデジタル映像記録装置におけるエンコード元ソースの選択メニューを示す図である。
【図７】本実施の形態によるデジタル映像記録装置におけるエンコード画質事前確認画面の表示例を示す図である。
【図８】本実施の形態によるエンコード画質確認画面用ＯＳＤの再生・画質確認表示例を示す図である。
【図９】図８におけるエンコード画質確認画面用ＯＳＤの再生・画質確認表示例を示す図である。
【図１０】エンコード画質確認画面用ＯＳＤのエンコード設定画面における表示例を示す図である。
【図１１】エンコード画質確認画面用ＯＳＤの実行指示画面における表示例を示す図である。
【図１２】本実施の形態によるエンコード実行確認メニューの表示例を示す図である。
【図１３】エンコード設定メニュー表示画面の表示例を示す図である。
【図１４】本発明の実施の形態によるデジタル映像記録装置の表示例を示す図である。
【図１５】本実施の形態による処理の流れの例を示すフローチャート図である。
【図１６】図１５に対応し、２画面表示方式の場合のフローチャート図である。
【図１７】一般的なデジタル映像記録装置の構成例を示す機能ブロック図である。
【図１８】特許文献２に記載された映像記録装置の従来の構成例を示す図である。
【図１９】他の形態による映像記録装置の従来の構成例を示す図である。
【図２０】特許文献２に関連する映像記録装置の従来の構成例を示す図である。
【符号の説明】
【００４８】
Ａ…映像記録装置、１…制御部、１ａ…ユーザＩ／Ｆ部、１ｂ…ＣＰＵ、３…記録再生部、３ａ…チューナ、３ｂ…第１ビデオ出力、３ｃ…ＯＳＤ、３ｄ…第２ビデオ出力、３ｅ…第１デコーダ、３ｆ…エンコーダ、３ｇ…第２デコーダ、３ｈ…記録媒体。
【図１】
2006203594.tif 000003
【図２】
2006203594.tif 000004
【図３】
2006203594.tif 000005
【図４】
2006203594.tif 000006
【図５】
2006203594.tif 000007
【図６】
2006203594.tif 000008
【図７】
2006203594.tif 000009
【図８】
2006203594.tif 000010
【図９】
2006203594.tif 000011
【図１０】
2006203594.tif 000012
【図１１】
2006203594.tif 000013
【図１２】
2006203594.tif 000014
【図１３】
2006203594.tif 000015
【図１４】
2006203594.tif 000016
【図１５】
2006203594.tif 000017
【図１６】
2006203594.tif 000018
【図１７】
2006203594.tif 000019
【図１８】
2006203594.tif 000020
【図１９】
2006203594.tif 000021
【図２０】
2006203594.tif 000022